(57)【要約】【課題】  ワイヤードラムへのワイヤー巻き付け状態の異常を検出する装置を提供する。【解決手段】  ワイヤードラムのワイヤー巻き付け面に螺旋状のワイヤー溝が設けられ、該ワイヤー溝にワイヤーが導入され一層をなして巻き付けられ、導出されるようにしたワイヤー巻き付け装置と、前記ワイヤードラムの外円周面の近くで、ドラムの溝から露出するワイヤーの高さの範囲内で、ドラム回転軸線に平行な仮想直線上を進む光線を発射する投光器と、該光線を受ける受光器と、前記投光器と受光器とを取付けるセンサー取付部材を備える。【選択図】        図１
2011025372.tif 000002
【特許請求の範囲】
【請求項１】
ワイヤードラムのワイヤー巻き付け面に螺旋状のワイヤー溝が設けられ、該ワイヤー溝にワイヤーが導入され一層をなして巻き付けられ、導出されるようにしたワイヤー巻き付け装置と、
前記ワイヤードラムの外円周面の近くで、ドラムの溝から露出するワイヤーの高さの範囲内で、ドラム回転軸線に平行な仮想直線上を進む光線を発射する投光器と、該光線を受ける受光器と、前記投光器と受光器とを取付けるセンサー取付部材を備えたワイヤードラムの異常検出装置。
【請求項２】
前記センサー取り付け部材の第一部材はドラムブラケットに近接して直立する支持体であり、第２部材は第１部材に直交し、かつ、ドラムの直径を含む平面に平行をなす支持体であり、基端に固定されたスリーブが第１部材に摺動自在に挿入され、第１部材に沿って上下移動可能であり、
第３部材は第２部材に直交し、かつ、ドラムの回転軸線に平行をなす支持体であり、基端に固定されたスリーブが第２部材に摺動自在に挿入され、第２部材に沿って前後移動可能であり、スリーブが第３部材に摺動自在に挿入され、これにセンサーが固定され、第３部材に沿って左右移動可能であり、これらの組がドラムの左右ブラケットに近接して、互いにドラムの回転軸線の中央部に垂直な面を境界面として対称関係に設置される
請求項１記載のワイヤードラムの異常検出装置。
【請求項３】
センサー取り付け部材の第４部材はドラムブラケットに近接して直立する支持体であり、
第５部材は第４部材に直交し、かつ、ドラムの回転軸線に平行をなす支持体であり、第４部材の先端に固定されたスリーブに第５部材が摺動自在に挿入され、第４部材に沿って左右に移動可能であり、
第６部材は第５部材に直交して屈曲形成され、かつ、ドラムの直径を含む平面に平行をなす支持体であり、スリーブが第６部材に摺動自在に挿入され、これにセンサーが固定され、第６部材に沿って前後および上下移動可能であり、これらの組がドラムの左右ブラケットに近接して、互いにドラムの回転軸線の中央部に垂直な面を境界面として対称関係に設置される請求項１記載のワイヤードラムの異常検出装置。
【発明の詳細な説明】
【技術分野】
【０００１】
本発明は、ワイヤードラムの以上検出装置に関する。
【背景技術】
【０００２】
この種の技術に関連する従来の技術の一例（特許文献１）は次のようなものであった。一対のワイヤーリール間を走行するワイヤーを複数個の溝付ローラに巻き掛けてワイヤー列を形成し、該ワイヤー列に加工液を供給しながら被加工物を押し付けることにより、被加工物を多数のウェーハに切断するワイヤーソーである。そして、前記ワイヤーの走行路近傍に接触検出部材を設置し、断線したワイヤーの前記接触検出部材への接触をセンサーで検出することにより、前記ワイヤーの断線を検出するようにしている。
【先行技術文献】
【特許文献】
【０００３】
【特許文献１】特開平１０−３４５１５号公報
【発明の概要】
【発明が解決しようとする課題】
【０００４】
しかしながら、上記技術を連続鋼帯処理ラインのループカーなどのワイヤードラムへのワイヤー巻き付け状態の異常（乱巻き、歯抜け等）を検出するものに適用するには、次のような問題があった。即ち、本発明に係る技術分野において、ワイヤーをドラムに巻き付けた場合、ワイヤーは、複数の素線を束ねて撚ったものであるから、ワイヤーの表面には凹凸がある。従って、このような表面に上記の技術に使われる接触部材を使っても、誤検知が生じるため、その検出はほぼ不可能である。
【０００５】
本発明は上記課題を解決し、ワイヤードラムへのワイヤー巻き付け状態の異常を検出する装置を提供することを目的とする。
【課題を解決するための手段】
【０００６】
本発明の課題解決手段は、ワイヤードラムのワイヤー巻き付け面に螺旋状のワイヤー溝が設けられ、該ワイヤー溝にワイヤーが導入され一層をなして巻き付けられ、導出されるようにしたワイヤー巻き付け装置と、前記ワイヤードラムの外円周面の近くで、ドラムの溝から露出するワイヤーの高さの範囲内で、ドラム回転軸線に平行な仮想直線上を進む光線を発射する投光器と、該光線を受ける受光器と、前記投光器と受光器とを取付けるセンサー取付部材を備える。
【０００７】
そして、次のような態様を含む。前記センサー取り付け部材の第１部材はドラムブラケットに近接して直立する支持体であり、第２部材は第１部材に直交し、かつ、ドラムの直径を含む平面に平行をなす支持体であり、基端に固定されたスリーブが第１部材に摺動自在に挿入され、第１部材に沿って上下移動可能である。
【０００８】
第３部材は第２部材に直交し、かつ、ドラムの回転軸線に平行をなす支持体であり、基端に固定されたスリーブが第２部材に摺動自在に挿入され、第２部材に沿って前後移動可能である。スリーブが第３部材に摺動自在に挿入され、これにセンサーが固定され、第３部材に沿って左右移動可能である。これらの組がドラムの左右ブラケットに近接して、互いにドラムの回転軸線の中央部に垂直な面を境界面として対称関係に設置される。
【０００９】
また、センサー取り付け部材の第４部材はドラムブラケットに近接して直立する支持体であり、第５部材は第４部材に直交し、かつ、ドラムの回転軸線に平行をなす支持体であり、第４部材の先端に固定されたスリーブに第５部材が摺動自在に挿入され、第４部材に沿って左右に移動可能である。
【００１０】
第６部材は第５部材に直交して屈曲形成され、かつ、ドラムの直径を含む平面に平行をなす支持体であり、スリーブが第６部材に摺動自在に挿入され、これにセンサーが固定され、第６部材に沿って前後および上下移動可能である。これらの組がドラムの左右ブラケットに近接して、互いにドラムの回転軸線の中央部に垂直な面を境界面として対称関係に設置される。
【発明の効果】
【００１１】
本発明により、ワイヤードラムへのワイヤー巻き付け状態が監視でき、ワイヤー巻き付け状態の異常（乱巻き、歯抜け等）を検出できるようになった。
【図面の簡単な説明】
【００１２】
【図１】本発明の一実施例の正面図である。
【図２】図１の左側面図である。
【図３】ワイヤー巻き付け時の作動説明の正面図である。
【図４】ワイヤー巻き付け時の作動説明の側面図である。
【図５】本発明の他の実施例の斜視図である。
【図６】本発明の更に他の実施例の斜視図である。
【発明を実施するための形態】
【００１３】
以下に本発明の一実施例を図面に基づき説明する。
図１，２においてワイヤー巻き付け装置は、ワイヤードラム１のワイヤー巻き付け面に螺旋状のワイヤー溝１ａが設けられ、該ワイヤー溝にワイヤーＷが導入され一層をなして巻き付けられ、導出されるようにしたものでる。
【００１４】
前記ワイヤードラムのワイヤーが導入導出される側とは反対側で、センサー取り付け部材３が立設される。そして、これにセンサー４が取り付けられている。センサー４は前記ワイヤードラム１の外円周面の近くで、ドラムの溝１ａから露出するワイヤーＷの高さの範囲内で、ドラム回転軸線に平行な仮想直線上を進む光線を発射する投光器４ａと、該光線を受ける受光器４ｂとからなる。
【００１５】
以上において、作動状態を説明する。図３，図４において、正常なワイヤードラムへのワイヤー巻き付け状態（ワイヤーＷを２点鎖線で表す）においては、ドラム１の溝１ａからドラム半径方向外側にｈだけ出た状態である。このときは、投光器４ａの光線はワイヤーには遮られず、受光器４ｂへ到達し、正常状態を表している。
【００１６】
図３、図４において、ワイヤー巻き付け状態が異常（ワイヤーＷを点線で表す）となったとき、ワイヤーＷの直径をｄとすれば、ワイヤーはドラム溝から（ｈ＋ｄ）だけ露出する。このときは、投光器４ａの光線はワイヤーに遮られ、受光器４ｂへ到達しないことになり、異常状態を表している。ここで、乱巻きとは巻きが重なること（図４）、歯抜け（図３）とは、ワイヤードラム上のあるべきはずの場所にワイヤーが無く、１列飛ばして巻きつけられていること（歯抜けが生じると、必然的に乱巻が生じる）である。
【００１７】
図５はセンサー取り付け位置を調節可能とした実施例である。
センサー取り付け部材の第１部材３１はドラムブラケット２に近接して直立する支持体たる丸棒である。第２部材３２は第１部材に直交し、かつ、ドラムの直径を含む平面に平行をなす丸棒である。そして、基端に固定されたスリーブ３７が第１部材に摺動自在に挿入され、第１部材３１に沿って上下移動可能である。
【００１８】
第３部材３３は第２部材３２に直交し、かつ、ドラムの回転軸線に平行をなす丸棒である。そして、基端に固定されたスリーブ３７が第２部材３２に摺動自在に挿入され、第２部材に沿って前後移動可能である。スリーブが第３部材３３に摺動自在に挿入され、これにセンサー４が固定され、第３部材に沿って左右移動可能である。そして、これらの組がドラム１の左右ブラケット２に近接して、互いにドラムの回転軸線の中央部に垂直な面を境界面として対称関係に設置される。
【００１９】
図６はセンサー取り付け位置を調節可能とした他の実施例である。
センサー取り付け部材の第４部材３４はドラムブラケット２に近接して直立する丸棒である。第５部材３５は第４部材３４に直交し、かつ、ドラムの回転軸線に平行をなす丸棒である。そして、第４部材の先端に固定されたスリーブ３７に第５部材３５が摺動自在に挿入され、第４部材に沿って左右に移動可能である。
【００２０】
第６部材３６は第５部材３５に直交して屈曲形成され、かつ、ドラムの直径を含む平面に平行をなす丸棒である。そして、スリーブ３７が第６部材３６に摺動自在に挿入され、これにセンサー４が固定され、第６部材に沿って前後および上下移動可能である。そして、これらの組がドラムの左右ブラケットに近接して、互いにドラムの回転軸線の中央部に垂直な面を境界面として対称関係に設置される。
【００２１】
本発明は前記した実施例や実施態様に限定されず、特許請求の精神および範囲を逸脱せずに種々の変形を含む。
【産業上の利用可能性】
【００２２】
本発明は、ワイヤードラムの異常検出装置に利用される。
【符号の説明】
【００２３】
Ｗ  ワイヤー
１  ワイヤードラム
２  ブラケット
３  センサー取り付け部材
３１  第１部材
３２  第２部材
３３  第３部材
３４  第４部材
３５  第５部材
３６  第６部材
３７  スリーブ
４  センサー
４ａ  投光器
４ａ  受光器
【図１】
2011025372.tif 000003
【図２】
2011025372.tif 000004
【図３】
2011025372.tif 000005
【図４】
2011025372.tif 000006
【図５】
2011025372.tif 000007
【図６】
2011025372.tif 000008